(57)【要約】【課題】  箱詰めしても注出口部分の潰れが無く、他の包装袋部分に反り癖も付かず、充填口の開口ミスや底部の開き不良が発生することのない、注出口付包装袋の整列方法及びその装置を提供する。【解決手段】  傾斜面を固定アームと揺動自在のスイングアームとで所定幅を有するように仕切り、更にこれら両アームを跨ぎその状態で回動自在のズラシスライダーにて傾斜面上に整列ゾーンを形成し、この整列ゾーンに複数重ね合わせた注出口付包装袋を供給しスイングアームを揺動させると共に傾斜面を利用してズラシスライダーに当接させ、ズラシスライダーを回動させてこれと揺動中のスイングアームとで形成する角度Ａを順次鋭角にして、複数重ね合わせた注出口付包装袋をずらし、注出口同士が重ならないようにすることで、上記の課題を達成できる。【選択図】        図２
2006290432.tif 000002
【特許請求の範囲】
【請求項１】
傾斜面を固定アームと揺動自在のスイングアームとで所定幅を有するように仕切り、更
にこれら両アームを跨ぎその状態で回動自在のズラシスライダーにて前記傾斜面上に整列
ゾーンを形成し、該整列ゾーンに複数重ね合わせた注出口付包装袋を供給し、前記スイン
グアームを揺動させると共に前記傾斜面を利用して前記ズラシスライダーに当接させ、前
記ズラシスライダーを回動させて揺動中の前記スイングアームとで形成する角度Ａを順次
鋭角にして、複数重ね合わせた注出口付包装袋をずらし、前記包装袋の注出口同士が重な
らないようにしたことを特徴とする注出口付包装袋の整列方法。
【請求項２】
前記ズラシスライダーにすべり止めを設けると共に、前記ズラシスライダーを揺動させ
るようにした請求項１記載の注出口付包装袋の整列方法。
【請求項３】
周縁部に切り欠き部分のある注出口付包装袋を、切り欠き部にガイドバーを当てて配列
状態を維持しながら、注出口同士が重ならないようにずらす請求項１または２記載の整列
方法。
【請求項４】
機体に設けた傾斜面と、該傾斜面の一側に位置させて前記機体に設けた固定アームと、
該固定アームと協同して前記傾斜面を所定幅を有するように仕切ると共に前記機体の他側
に揺動自在に設けたスイングアームと、これら両アームを跨ぎその状態で前記スイングア
ームとで形成する角度Ａを直角から順次鋭角にすべく回動自在に前記機体に設けたズラシ
スライダーと、を少なくとも含んでなり、前記固定アーム、前記スイングアーム及び前記
ズラシスライダーにて形成した整列ゾーン上に、複数重ね合わせた注出口付包装袋を供給
し前記スイングアームを揺動させると共に前記傾斜面を利用して前記ズラシスライダーに
当接させ、前記ズラシスライダーを回動させて、揺動中の前記スイングアームとで形成す
る角度Ａを順次鋭角にし、複数重ね合わせた注出口付包装袋をずらし、前記注出口同士が
重ならないようにしたことを特徴とする注出口付包装袋の整列装置。
【請求項５】
前記ズラシスライダーは、前記機体に軸支したズラシレバーと、該ズラシレバーに揺動
自在に取り付けたスライダーとからなり、該スライダーと前記スイングアームとはリンク
により互いに回動自在に連結して、前記スイングアームの揺動運動に連動して前記スライ
ダーを揺動させるようにした請求項３記載の注出口付包装袋の整列装置。
【請求項６】
周縁部に切り欠き部分のある注出口付包装袋を、切り欠き部にガイドバーを当てて配列
状態を維持しながら、注出口同士が重ならないようにずらす請求項４または５記載の整列
装置。
【請求項７】
注出口を持つ包装袋を、所定枚数ごとに包装袋群に束ね、注出口の位置を振り分けなが
ら配列する包装袋の収納方法であって、該包装袋群は、包装袋の一辺を揃えて所定間隔ず
つ平行にずらして注出口同士が重ならないようにし、各包装袋群を、揃えた辺を下にして
、注出口の位置を左右に振り分けて収納することを特徴とする収納方法。
【発明の詳細な説明】
【技術分野】
【０００１】
本発明は、注出口付包装袋を箱などに梱包する際、注出口同士が重ならないように整列
する注出口付包装袋の整列方法及びその装置に関するものであって、より詳しくは、例え
ば、包装袋を構成する素材の一部を賦形させることによって形成した注出口が、梱包など
の際に積み重ねによって潰されてしまうことがないように、注出口部分がずらされた状態
で梱包に適した個数をまとめあげることを可能にした注出口付包装袋の整列方法・整列装
置ならびに該包装袋の箱への収納方法に関する。
【背景技術】
【０００２】
例えば、詰替え用の液体洗剤、漂白剤、柔軟剤等を収納するために多用されている注出
口付包装袋は、通常、２枚重ねの矩形のフィルムの周辺をヒートシールして袋状に形成し
、この袋の角部に注出口を形成してなるものである。この注出口は、フィルムを山成形や
谷成形を組み合わせるなどの手段によって賦形し、当該部分を折り癖を付けて膨らまして
形成したり、注出口内にパイプ状のものを取り付けて形成している。注出口内にパイプ状
のものを取り付けたものは、梱包時の積み重ねによって注出口が潰れてしまうことは比較
的少ないが、フィルムを賦形しただけの注出口を備えた包装袋は、箱詰めされて運搬され
る際の箱詰め時に膨らんでいる注出口が潰れたり、注出口部分の膨らみにより他の包装袋
部分に隙間が出来、それにより反りが発生することになる。したがって、注出口付包装袋
の注出口の潰れや他の包装袋部分の反りを生じないようにした技術を開示するものとして
、下記の特許文献が知られている。
【０００３】
【特許文献１】特開２００２−２８４２３４号公報
【０００４】
この特許文献１によれば、図５に示すように、箱Ｄ内に注出口付包装袋ａを所定枚数ず
つ束ねて複数の包装袋束ｂに区分し、これら複数の包装袋束ｂの注出口ｃの位置を包装袋
束ｂの配列順に交互に左右に振り分け配置して、左右方向の一側に注出口ｃを配置した第
１包装袋束列ｄに属する各包装袋束ｂの注出口ｃを配列順に交互に上下に振り分け配置し
、且つ、左右方向の他側に注出口ｃを配置した第２包装袋束列ｅに属する各包装袋束ｂの
注出口ｃを配列順に交互に上下に振り分け配置している。これにより、注出口付包装袋ａ
を所定枚数ずつ束ね箱詰めしても、注出口ｃ部分の膨らみに加わる外力を可及的に低減し
て、注出口ｃ部分の潰れを防止し、その上、収納効率を高くできて安定した箱詰めにする
ことが可能となる。
【発明の開示】
【発明が解決しようとする課題】
【０００５】
特許文献１に記載の注出口付包装袋ａの収納構造は、収納効率を高くできて安定した箱
詰めが出来るのに、注出口ｃ部分の潰れを防止出来る点ですぐれているが、この収納構造
は、注出口付包装袋ａを所定枚数ずつ重ねて束ねているために、注出口ｃとしての形状を
保持している注出口ｃ部分が膨らみ、他の包装袋部分はフィルム２枚分の厚みであるため
、箱詰めした場合他の包装袋部分が箱内で反り癖が付いてしまう虞がある。そして、仮に
、このような反り癖が他の包装袋部分に付いてしまうと、注出口付包装袋ａ内に内容物を
充填する際、充填口の開口ミスや底部の開き不良が発生し、充填出来なかったり、所定量
充填出来ないという、ことが発生する虞がある。
【０００６】
そこで、本発明の目的は、箱詰めしても注出口部分の潰れがなく、しかも他の包装袋部
分に反り癖も付かず、充填口の開口ミスや底部の開き不良が発生することのない、注出口
付包装袋の整列方法、整列装置ならびに箱への収納方法を提供することにある。
【課題を解決するための手段】
【０００７】
本発明は、上記目的を達成するために提案されたものであって、下記の構成からなるこ
とを特徴とするものである。
すなわち、本発明によれば、傾斜面を固定アームと揺動自在のスイングアームとで所定
幅を有するように仕切り、更にこれら両アームを跨ぎその状態で回動自在のズラシスライ
ダーにて前記傾斜面上に整列ゾーンを形成し、該整列ゾーンに複数重ね合わせた注出口付
包装袋を供給し、前記スイングアームを揺動させると共に前記傾斜面を利用して前記ズラ
シスライダーに当接させ、前記ズラシスライダーを回動させて揺動中の前記スイングアー
ムとで形成する角度Ａを順次鋭角にして、複数重ね合わせた注出口付包装袋をずらし、前
記包装袋の注出口同士が重ならないようにしたことを特徴とする注出口付包装袋の整列方
法が提供される。
【０００８】
また、本発明によれば、前記ズラシスライダーにすべり止めを設けると共に、前記ズラ
シスライダーを揺動させるようにした注出口付包装袋の整列方法が提供される。
【０００９】
また、本発明によれば、周縁部に切り欠き部分のある注出口付包装袋を、切り欠き部に
ガイドバーを当てて配列状態を維持しながら、注出口同士が重ならないようにずらす上記
整列方法が提供される。
【００１０】
また、本発明によれば、機体に設けた傾斜面と、該傾斜面の一側に位置させて前記機体
に設けた固定アームと、該固定アームと協同して前記傾斜面を所定幅を有するように仕切
ると共に前記機体の他側に揺動自在に設けたスイングアームと、これら両アームを跨ぎそ
の状態で前記スイングアームとで形成する角度Ａを直角から順次鋭角にすべく回動自在に
前記機体に設けたズラシスライダーと、を少なくとも含んでなり、前記固定アーム、前記
スイングアーム及び前記ズラシスライダーにて形成した整列ゾーン上に、複数重ね合わせ
た注出口付包装袋を供給し前記スイングアームを揺動させると共に前記傾斜面を利用して
前記ズラシスライダーに当接させ、前記ズラシスライダーを回動させて、揺動中の前記ス
イングアームとで形成する角度Ａを順次鋭角にし、複数重ね合わせた注出口付包装袋をず
らし、前記注出口同士が重ならないようにしたことを特徴とする注出口付包装袋の整列装
置が提供される。
【００１１】
また、本発明によれば、前記機体に軸支したズラシレバーと、該ズラシレバーに揺動自
在に取り付けたスライダーとからなり、該スライダーと前記スイングアームとはリンクに
より互いに回動自在に連結して、前記スイングアームの揺動運動に連動して前記スライダ
ーを揺動させるようにした上記注出口付包装袋の整列装置が提供される。
【００１２】
また、本発明によれば、周縁部に切り欠き部分のある注出口付包装袋を、切り欠き部に
ガイドバーを当てて配列状態を維持しながら、注出口同士が重ならないようにずらす上記
整列装置が提供される。
【００１３】
また、本発明によれば、注出口を持つ包装袋を、所定枚数ごとに包装袋群に束ね、注出
口の位置を振り分けながら配列する包装袋の収納方法であって、該包装袋群は、包装袋の
一辺を揃えて所定間隔ずつ平行にずらして注出口同士が重ならないようにし、各包装袋群
を、揃えた辺を下にして、注出口の位置を左右に振り分けて収納することを特徴とする収
納方法が提供される。
【発明の効果】
【００１４】
本発明によれば、傾斜面上の整列ゾーンに複数重ね合わせた注出口付包装袋を供給する
ことより、注出口付包装袋は、スイングアームの揺動及び整列ゾーンの傾斜によりズラシ
スライダーに当接するように導かれ、このズラシスライダーの作動により、これと揺動中
のスイングアームとで形成する角度Ａを順次鋭角にすることで、複数重ね合わせた注出口
付包装袋を順次ずらして行けば、注出口部分同士が重ならなず、他の包装袋部分も隙間が
無い状態で、複数の注出口付包装袋を整列することが出来る。したがって、このように整
列した複数重ね合わせた注出口付包装袋を箱詰めしても、注出口部分の潰れが無く、しか
も他の包装袋部分に反り癖も付かず、充填口の開口ミスや底部の開き不良が発生すること
のない、効果を得ることができる。
【００１５】
また、本発明において、すべり止めを設けたズラシスライダーを使用すると、ズラシス
ライダーの揺動が加わることにより、複数重ね合わせた注出口付包装袋を順次スムーズに
ずらして行き、注出口部分同士が重ならず、他の包装袋部分も隙間が無い状態で、複数の
注出口付包装袋を整列することが出来る。さらに、周縁部に切り欠き部分のある注出口付
包装袋の切り欠き部にガイドバーを当てて配列状態を維持させることにより、安定的に注
出口同士が重ならないようにずらすことが出来る。
【００１６】
また、本発明の包装袋の整列装置は、整列ゾーン上に複数重ね合わせた注出口付包装袋
を供給すると、スイングアームの揺動及び整列ゾーンの傾斜によりズラシスライダーに当
接し、このズラシスライダーを回動させて、これと揺動中のスイングアームとで形成する
角度Ａを順次鋭角にして行くことで、複数重ね合わせた注出口付包装袋を順次ずらして行
き、注出口同士が重ならないようにすることができる。したがって、傾斜面、固定アーム
、スイングアーム及びズラシスライダーの簡易な要素の組み合わせで、注出口部分同士が
重ならず、他の包装袋部分も隙間が無い状態で、複数の注出口付包装袋を整列することが
出来て、この整列状態で箱詰めしても、注出口部分の潰れが無く、しかも他の包装袋部分
に反り癖も付かず、充填口の開口ミスや底部の開き不良が発生することのない、効果を得
ることができる。
【００１７】
また、リンクによりスイングアームの揺動運動に連動してズラシスライダーのスライダ
ーを揺動させ得る。したがって、スイングアームの揺動運動に連動したスライダーの揺動
が加わることにより、複数重ね合わせた注出口付包装袋をよりスムーズにずらして行き、
注出口部分同士が重ならず、他の包装袋部分も隙間が無い状態で、複数の注出口付包装袋
を整列出来る。
【発明を実施するための最良の形態】
【００１８】
本発明を利用した包装袋の箱詰めは、おおよそ、次の工程を含むものである。
１．製袋装置から排出された包装袋を、所定の枚数毎に束ねる。
２．束ねた包装袋を所定の形態にずらして、包装袋群にする。
３．包装袋群の注出口の位置を交互に左右に振り分ける。
４．包装袋群を所定数まで箱に収納する。
５．必要に応じて、箱内に中敷きを挿入して、複数段重ねる。                        
本発明は、上記工程の内の２に該当する部分の実施形態のひとつを規定したものである
。
【００１９】
以下に、図面を参照して本発明を実施するための最良の形態を説明する。
【実施例１】
【００２０】
図１は本発明の整列方法の対象となる注出口付包装袋の正面図、図２は本発明の実施形
態の注出口付包装袋の整列方法を実現する整列装置の平面図である。整列方法の対象とな
る注出口付包装袋１は、矩形のプラスチックフィルム２を２枚重ねにし、充填口３を残し
てヒートシールして、更に、上部の角部に注出口４を形成し、下部はスタンディングでき
る形状の底部５となっている。この注出口４は、シール状態であり、注出口４となる部分
のプラスチックフィルム２に、山成形及び谷成形を組み合わせて、外方に凸となるよう賦
形した折り癖６を付け、常時膨らんだ状態に形成して、開封後の注出口付包装袋１から内
容物を注出し易いようになっている。なお、この注出口４には、必要に応じて開封するた
めの切込４ａ及び他の容器に詰め替える際その口部に掛け易くするための掛け部４ｂが設
けられ、使い勝手を良くしている。
【００２１】
上記のような注出口付包装袋１をそのまま複数重ね合わせれば、図２に示すように、注
出口４部分だけが異常に膨らむことになる。したがって、以下に述べるような注出口付包
装袋の整列装置１０により、膨らんでいる注出口４を順次ずらして複数の注出口付包装袋
１を整列する。
すなわち、この注出口付包装袋の整列装置１０は、機体１１に設けた傾斜面１２と、こ
の傾斜面１２の一側１２ａに位置させて機体１１に設けた固定アーム１３と、この固定ア
ーム１３と協同して傾斜面１２を所定幅を有するように仕切ると共に機体１１の他側１２
ｂに揺動自在に設けたスイングアーム１４と、これら両アーム１３、１４を跨ぎその状態
でスイングアーム１４とで形成する角度Ａを直角から順次鋭角にすべく回動自在に機体１
１に設けたズラシスライダー１５と、を少なくとも含んでなり、これら固定アーム１３、
スイングアーム１４及びズラシスライダー１５にて形成した整列ゾーン１６上に、複数重
ね合わせた注出口付包装袋１の束を供給しスイングアーム１４を揺動させると共に傾斜面
１２を利用してズラシスライダー１５に当接させ、ズラシスライダー１５を回動させて、
揺動中のスイングアーム１４とで形成する角度Ａを順次鋭角にし、複数重ね合わせた注出
口付包装袋１の束をずらし、注出口４同士が重ならないようにしたものである。
【００２２】
前記機体１１に設けた前記傾斜面１２は、前記ズラシスライダー１５側に向けて注出口
付包装袋１が滑るように傾斜を付けられている。この傾斜面１２は、必ずしも注出口付包
装袋１がズラシスライダー１５側に向けて自然に滑り出す程の傾斜がなくても良い。この
傾斜面１２の傾斜は、揺動しているスイングアーム１４により注出口付包装袋１が動いた
ときに、ズラシスライダー１５側に向けて若干でも滑り出す程度有れば良く、約５度ない
し３０度程度、好ましくは約１２度ないし１８度である。図示した例では、１６度に設定
されている。
【００２３】
前記固定アーム１３は、傾斜面１２の一側１２ａに位置し、ズラシスライダー１５側に
行くに従い、スイングアーム１４から離れていくように設置され、図２に示すように、複
数重ね合わせた注出口付包装袋１の注出口４部分の膨らみに対応している。
【００２４】
前記スイングアーム１４は、傾斜面１２の他側１２ｂに位置し、ズラシスライダー１５
側の端部が機体１１に取り付けた軸支点２０により回動自在であり、他端部はクランクア
ーム２１によりクランクディスク２２に回動自在に連結している。したがって、スイング
アーム１４は、パルスモータ（図示せず）によりクランクディスク２２が回転すると、軸
支点２０を中心として矢線Ｂに示すように揺動する。
【００２５】
前記ズラシスライダー１５は、前記機体１１に軸支点３０により回動自在に支持された
ズラシレバー３１と、このズラシレバー３１に揺動自在に取り付けたスライダー３２とか
らなる。このズラシレバー３１は、軸支点３０を中心として実線の位置から二点鎖線の位
置まで、矢線Ｃに示すように揺動して、スイングアーム１４とで形成する角度Ａを少なく
とも直角から順次鋭角にし、後に詳述するように、複数重ね合わせた注出口付包装袋１の
束をずらして、注出口４同士が重ならないようにするものである。なお、このズラシレバ
ー３１の揺動運動は手動でも自動でも良く、設置条件によりいずれかを選択することがで
きる。
【００２６】
一方、前記スライダー３２は、複数重ね合わせた注出口付包装袋１に当接する面にすべ
り止め３２ａが形成されている。このすべり止め３２ａは、注出口付包装袋１との当接面
を粗面としたものである。このスライダー３２はズラシレバー３１上で揺動するが、その
機構は、前記スイングアーム１４上に設けた三角ベース３３とスライダー３２との間を揺
動リンク３４により回動自在に連結し、且つズラシレバー３１に設けたピン３５及び３６
とそれらに対応するスライダー３２に設けた長孔３７及び３８とによる。したがって、ズ
ラシスライダー１５におけるズラシレバー３１は、スイングアーム１４の揺動運動に連動
して揺動するが、その揺動運動は、ズラシレバー３１のピン３５及びスライダー３２の長
孔３７、並びにズラシレバー３１のピン３６及びスライダー３２の長孔３８に規制されて
、複数重ね合わせた注出口付包装袋１を適切なずらし運動を行うようにしている。
【００２７】
次に、上記構成になる注出口付包装袋の整列装置１０により、注出口付包装袋の整列方
法について述べる。
まず、図１に示す注出口付包装袋１は、複数枚、例えば、２５枚をそのまま重ね合わせ
た状態で包装袋製造機（図示せす）から排出されるから、２５枚重ね合わせた状態の注出
口付包装袋１群を、その注出口４側をズラシスライダー１５に向けて傾斜面１２上に形成
した整列ゾーン１６に供給する。スイングアーム１４は揺動しているから、注出口付包装
袋１群に当たり動かして静的摩擦から動的摩擦に変わり、整列ゾーン１６における傾斜面
１２の傾斜角度があまり無くても、注出口付包装袋１群はズラシスライダー１５のスライ
ダー３２側に移動して当接する。
【００２８】
そして、ズラシスライダー１５のズラシレバー３１は、揺動中のスイングアーム１４と
で形成する角度Ａを順次鋭角にして、すなわち、ズラシレバー３１が軸支点３０を中心と
して実線の位置から二点鎖線の位置まで移動をして行き、その過程で上述の揺動中のスイ
ングアーム１４、並びにスライダー３２による揺動及びスライダー３２のすべり止め３２
ａにより、重ね合わせた状態の注出口付包装袋１群が徐々にずれてゆき、ズラシレバー３
１が実線の位置から二点鎖線の位置に到達するまでに、図３、４に示すように、注出口４
同士が重ならないようにし、他の包装袋部分も隙間がない状態で、注出口付包装袋１群を
整列することが出来る。なお、図４に示した例では、パウチ４枚ずつを交互に振り分けて
いるが、パウチの枚数は、これに限らず、１群が５枚であっても１０枚であってもよい。
この実施例でガイドバーを用いる場合、注出口付包装袋１周縁部の切り欠き部分である掛
け部４ｂにガイドバーを当てて、整列を補助するのが良い。
【００２９】
このように整列した２５枚重ね合わせた注出口付包装袋１を箱詰めしても、注出口４部
分の潰れが無く、しかも他の包装袋部分に反り癖も付かず、充填口３の開口ミスや底部５
の開き不良が発生することがない。なお、箱詰めに際しては、整列状態の２５枚の注出口
付包装袋１群を、左右交互に、つまり、最初の１群は注出口部分が右側であれば、次の１
群は注出口部分が左側になるように詰め込んで、左右に交互に振り分けられた包装袋群が
箱詰めされるような形態が適切である。また、この際のパウチのずらし量は、包装袋の注
出口の位置、サイズ、形状によっても異なるが、本実施例では５ｍｍずつずらす程度が取
扱上好適である。箱詰めされる具体的な枚数は、パウチおよび箱の大きさによって適宜選
択されればよく、いずれにしても、かかる梱包をすることによって、従来の梱包方法に比
べて収納効率が一層すぐれたものになる。
【００３０】
以上、本発明の実施例１を説明したが、具体的な構成はこれに限定されず、例えば、ズ
ラシスライダー１５のスライダー３２が揺動しなくても、あるいはスライダー３２にすべ
り止め３２ａが無くても適用可能であり、本発明の要旨を逸脱しない範囲での変更は適宜
可能であることは理解されるべきである。
【産業上の利用可能性】
【００３１】
本発明の注出口付包装袋の整列方法及びその装置は、包装袋の注出口がフィルムに賦形
し、折り癖を付けて膨らまし形成し、それを箱詰めして運搬するような場合に、利用可能
性が極めて高くなる。
【図面の簡単な説明】
【００３２】
【図１】本発明の注出口付包装袋の正面図である。
【図２】本発明の注出口付包装袋の整列方法を実現する整列装置の平面図である。
【図３】本発明の整列方法により整列した状態の注出口付包装袋の正面図である。
【図４】注出口付包装袋群を交互に振り分けた状態の平面図である。
【図５】従来例における注出口付包装袋を箱詰めした状態を示す斜視図である。
【符号の説明】
【００３３】
１，ａ                    注出口付包装袋
２                        プラスチックフィルム
３                        充填口
４，ｃ                    注出口
４ａ                      切込
４ｂ                      掛け部
５                        底部
６                        折り癖
１０                      注出口付包装袋の整列装置
１１                      機体
１２                      傾斜面
１２ａ                    一側
１２ｂ                    他側
１３                      固定アーム
１４                      スイングアーム
１５                      ズラシスライダー
１６                      整列ゾーン
２０，３０                軸支点
２１                      クランクアーム
２２                      クランクディスク
３１                      ズラシレバー
３２                      スライダー
３２ａ                    すべり止め
３３                      三角ベース
３４                      揺動リンク
３５，３６                ピン
３７，３８                長孔
ｂ                        包装袋束
ｄ                        第１包装袋束列
ｅ                        第２包装袋束列
【図１】
2006290432.tif 000003
【図２】
2006290432.tif 000004
【図３】
2006290432.tif 000005
【図４】
2006290432.tif 000006
【図５】
2006290432.tif 000007